(57)【要約】【課題】  熱可塑性樹脂を押出成形した擬竹の竹節を一対の突出リブからなる断面Ｍ字状とすることによって天然竹の竹節の趣を確保する。【解決手段】  押出成形直後の擬竹Ａを上下の金型１０に挟持し，金型１０に形成した近接一対の節形成溝１１を真空吸引した状態で，節形成溝１１に設置した可動中子１２をその対向方向に移動して節形成溝１１を狭小化することによって，近接一対の節形成溝１１に擬竹Ａの肉をそれぞれ引込み圧縮又は引込み圧潰して擬竹Ａの外周に近接一対にして断面Ｍ字状をなすように突出リブを形成し，天然竹と同様な趣の竹節を持った擬竹Ａとする。【選択図】        図４
2005186489.tif 000002
【特許請求の範囲】
【請求項１】
押出成形直後又は押出成形後に過熱した熱可塑性樹脂製擬竹を竹節形成用の上下金型に挟持し，該上下金型の一方又は双方に配置した近接一対の節形成溝を減圧吸引下で狭小化することによって擬竹の表面に近接一対の突出リブによる断面Ｍ字状の竹節を突出形成してなることを特徴とする節付き擬竹。
【請求項２】
熱可塑性樹脂製擬竹を押出成形する押出工程と，押出成形直後の該擬竹をその押出速度と同速移動する竹節形成用の上下金型に挟持し，該上下金型の一方又は双方に配置した近接一対の節形成溝を減圧吸引下で狭小化することによって擬竹の表面に近接一対の突出リブによる断面Ｍ字状の竹節を突出形成する竹節形成工程とを一連に備えてなることを特徴とする節付き擬竹の製造方法。
【請求項３】
押出成形した擬竹を加熱する加熱工程と，該加熱した擬竹を竹節形成用の上下金型に挟持し，該上下金型の一方又は双方に配置した近接一対の節形成溝を減圧吸引下で狭小化することによって擬竹の表面に近接一対の突出リブによる断面Ｍ字状の竹節を突出形成する竹節形成工程とを押出工程と別のバッチ処理として備えてなることを特徴とする節付き擬竹の製造方法。
【請求項４】
上記近接一対の節形成溝の狭小化を，各節形成溝に設置した可動中子を対向方向に移動して行なうことを特徴とする請求項２又は３に記載の節付き擬竹の製造方法。
【請求項５】
擬竹長手方向に近接一対の節形成溝と，各節形成溝に設置し対向方向に移動自在の可動中子と，各節形成溝に設置した減圧吸引用のエア吸引口とを備えてなることを特徴とする節付き擬竹の節形成用金型。
【発明の詳細な説明】
【技術分野】
【０００１】
本発明は熱可塑性樹脂製の擬竹に関し，特に節付き擬竹，その製造方法及びこれに使用する節形成用金型に関する。
【背景技術】
【０００２】
この種の擬竹は，例えば押出装置によって熱可塑性樹脂を単層又は複層の中空パイプ状に押出成形することによって丸竹の擬竹とし，また同じく中空半円状に押出成形することによって半割竹の擬竹とするように形成され，その表面に長手方向所定間隔に竹節を備えたものとされる。竹節は，例えば押出成形直後の熱可塑性樹脂製擬竹を上下金型に挟持して表面に竹節を型押し形成し，また押出成形直後の熱可塑性樹脂製擬竹をリング状の金型に通過させて握締と解除を繰り返すことによって竹節を皺寄せ形成するものとされている。
【０００３】
【特許文献１】特開平１１−２９１３２６号
【特許文献２】特開２００１−３２２１５３号
【発明の開示】
【発明が解決しようとする課題】
【０００４】
これらによればそれぞれ長手方向所定位置に竹節を形成した擬竹を得られるが，この場合竹節は，擬竹の長手方向所定位置に，例えば断面半円状に隆起したそれぞれ単一隆起のものとされるから，これを断面Ｍ字状や断面ｕ字状をなす天然竹の竹節と比較すると，著しくその形態を異にして，人工的な印象を与える傾向が強く，従って，例えば擬竹の色調や竹節配置のピッチについては天然竹と略同等のものとすることができるとしても，竹節の形態を再現できないことによって擬竹の違和感を解消できないという問題点が残されている。
【０００５】
本発明はかかる事情に鑑みてなされたもので，その解決課題とするところは，第１に，竹節を可及的に天然竹と同様な断面Ｍ字状として竹節の違和感を解消し得るようにした節付き擬竹を提供するにあり，第２に，断面Ｍ字状の竹節を有する節付き擬竹を，可及的簡易且つ確実に形成することによって製造効率を可及的良好に確保し得る節付き擬竹の製造方法を提供するにあり，第３に，断面Ｍ字状の竹節を可及的に簡単な構造によって確実に形成し得る節付き擬竹の節形成用金型を提供するにある。
【課題を解決するための手段】
【０００６】
上記第１の課題に添って請求項１に記載の発明を，押出成形直後又は押出成形後に過熱した熱可塑性樹脂製擬竹を竹節形成用の上下金型に挟持し，該上下金型の一方又は双方に配置した近接一対の節形成溝を減圧吸引下で狭小化することによって擬竹の表面に近接一対の突出リブによる断面Ｍ字状の竹節を突出形成してなることを特徴とする節付き擬竹としたものである。
【０００７】
上記第２の課題に添って請求項２に記載の発明を，熱可塑性樹脂製擬竹を押出成形する押出工程と，押出成形直後の該擬竹をその押出速度と同速移動する竹節形成用の上下金型に挟持し，該上下金型の一方又は双方に配置した近接一対の節形成溝を減圧吸引下で狭小化することによって擬竹の表面に近接一対の突出リブによる断面Ｍ字状の竹節を突出形成する竹節形成工程とを一連に備えてなることを特徴とする節付き擬竹の製造方法としたものである。
【０００８】
同じく第２の課題に添って請求項３に記載の発明を，押出成形した擬竹を加熱する加熱工程と，該加熱した擬竹を竹節形成用の上下金型に挟持し，該上下金型の一方又は双方に配置した近接一対の節形成溝を減圧吸引下で狭小化することによって擬竹の表面に近接一対の突出リブによる断面Ｍ字状の竹節を突出形成する竹節形成工程とを押出工程と別のバッチ処理として備えてなることを特徴とする節付き擬竹の製造方法としたものである。
【０００９】
また請求項４に記載の発明は，上記節形成溝の狭小化を可及的簡易な構造で確実になし得るようにすることによって竹節の形勢を可及的に安定してなし得る製造方法とするように，これを，上記近接一対の節形成溝の狭小化を，各節形成溝に設置した可動中子を対向方向に移動して行なうことを特徴とする請求項２又は３に記載の節付き擬竹の製造方法としたものである。
【００１０】
上記第３の課題に添って請求項５に記載の発明を，擬竹の長手方向に近接一対の節形成溝と，各節形成溝に設置し対向方向に移動自在の可動中子と，各節形成溝に設置した減圧吸引用のエア吸引口とを備えてなることを特徴とする節付き擬竹の節形成用金型としたものである。
【００１１】
本発明はこれらをそれぞれ発明の要旨として上記課題解決の手段としたものである。
【発明の効果】
【００１２】
本発明は以上のとおりに構成したから，請求項１に記載の発明は，節形成溝に引込み圧縮され又は引込み圧潰されて形成された近接一対の突出リブによる断面Ｍ字状にして天然竹と同様な竹節を表面に有することによって外観の違和感が解消した節付き擬竹を提供することができる。
【００１３】
請求項２に記載の発明は，断面Ｍ字状の竹節を有する節付き擬竹を，押出工程と一連の竹節形成工程によって可及的簡易且つ確実に形成することによって製造効率を可及的良好に確保し得る節付き擬竹の製造方法を提供することができる。
【００１４】
請求項３に記載の発明は，断面Ｍ字状の竹節を有する節付き擬竹を，いわゆるバッチ工程によって可及的簡易且つ確実に形成することによって同じく製造効率を可及的良好に確保し得る節付き擬竹の製造方法を提供することができる。
【００１５】
請求項４に記載の発明は，上記節形成溝の狭小化を可及的簡易な構造で確実になし得るようにすることによって竹節を可及的に安定してなし得る節付き擬竹の製造方法とすることができる。
【００１６】
請求項５に記載の発明は，断面Ｍ字状の竹節を可及的に簡単な構造によって確実に形成し得る節付き擬竹の節形成用金型を提供することができる。
【発明を実施するための最良の形態】
【００１７】
以下図面の例に従って本発明を更に具体的に説明すれば，Ａは擬竹であり，該擬竹Ａは，例えば塩化ビニル，ＡＢＳ樹脂等適宜な熱可塑性樹脂を単層又は複層の中空パイプ状に押出成形することによって丸竹として形成し，その表面の長手方向所定位置に竹節３を突出形成した節付きのものとしてあり，該竹節３は近接一対の突出リブ４による断面Ｍ字状のものとしてあり，また該竹節３は，これを，押出成形直後又は押出成形後に過熱した熱可塑性樹脂製擬竹Ａを竹節形成用の上下金型１０に挟持し，該上下金型１０の一方又は双方に配置した近接一対の節形成溝１１を減圧吸引下で狭小化することによって擬竹Ａの表面に形成したものとしてある。
【００１８】
即ちこれを節付き擬竹Ａの製造方法によって説明すれば，本例にあって該節付き擬竹Ａは，熱可塑性樹脂製擬竹Ａを押出成形する押出工程と，押出成形直後の該擬竹Ａをその押出速度と同速移動する竹節形成用の上下金型１０に挟持し，該上下金型１０の双方に配置した近接一対の節形成溝１１を減圧吸引下で狭小化することによって擬竹Ａの表面に近接一対の突出リブ４による断面Ｍ字状の竹節３を突出形成する竹節形成工程とを一連に備えて，これを製造するものとしてあり，このとき本例にあっては更に該擬竹Ａを所定長さに切断する切断工程を更に一連に備えることによって，一連３工程の製造工程としてある。
【００１９】
押出工程は，本例にあってこれに用いる押出装置を，例えば常法に従った複層の押出装置を用いた押出工程とし，上記擬竹Ａを内側硬質の中空パイプをなすパイプ基部層１と，これを被覆して着色を施す外側軟質の着色表層２の複層構造としてあり，パイプ基部層１の押出成形とその直後に押出方向に進行するパイプ基部層１に対してその交差方向から着色表層２を供給被覆する該表層２の押出成形とを併用するものとして，該押出工程によって押出成形した擬竹Ａを，その表面が，被覆の着色表層２によって，例えば青竹調，枯竹調等天然竹に倣った適宜の色調のものとしてある。
【００２０】
竹節形成工程は，押出成形直後の擬竹Ａが押出成形による加熱状態を維持してなお成形が可能状態にある間に上下金型１０によって擬竹Ａを挟持してその表面に長手方向所定ピッチの竹節３を成形し，該成形後に挟持を解除し金型１０を通過して次工程に至るものとしてある。
【００２１】
このとき上下金型１０は，例えば搬送装置によって押出成形した擬竹Ａ所定長さ範囲を往復動し，擬竹Ａの押出方向にその押出速度と同速，即ち擬竹Ａの進行速度と同速に移動して竹節３の成形を行うとともに定位置に復帰して竹節３の成形を擬竹Ａ長手方向に所定ピッチで繰り返すようにしてある。
【００２２】
本例の上下金型１０は，擬竹Ａ長手方向に近接一対の節形成溝１１と，各節形成溝１１に設置し対向方向に移動自在の可動中子１２と，各節形成溝１１に設置した図示省略の減圧吸引用のエア吸引口とを備えたものを用いて，その近接一対の節形成溝１１のエアを上記エア吸引口から脱気して該近接一対の節形成溝１１を減圧吸引状態とし，該減圧吸引下で節形成溝１１の狭小化，本例にあっては，上記可動中子１２を対向方向，即ち押出方向先端側の可動中子１２を反押出方向に，押出方向後端側の可動中子１２を押出方向に同時に移動する節形成溝１１の狭小化によって，擬竹Ａの肉を近接一対の節形成溝１１の溝内に引込み圧縮し又は引込み圧潰し，該部分に上記近接一対の突出リブ４による断面Ｍ字状の竹節３を形成するものとしてある。
【００２３】
このとき上下金型１０による擬竹Ａの挟持は，開放した上下金型１０間に押出成形直後の擬竹Ａを受け入れ進行させるとともにその上下双方又はその一方の金型１０を間欠的に上下動することによって挟持と解除を行うようにしてあり，これによって擬竹Ａの長手方向に同一ピッチ乃至適宜に異なるピッチでその竹節３を形成するようにしてある。
【００２４】
本例にあって一対の節形成溝１１は，例えば先端をエッジ状に先細りした金型中央の仕切をなす区画壁１３を介して押出方向に直交するように近接して配置してあり，その可動中子１２は該区画壁１３から離隔して節形成溝１１の外側，即ち押出方向前後に，例えば付勢することによって常時区画壁１３側を開口するように配置し，また可動中子１２の対向方向への移動は，例えば該可動中子１２に対向方向に向けたエア圧を加えることによって行なうものとし，これによってスムーズな間欠動作をなし得るようにしてある。節形成溝１１の減圧吸引は，例えばこれを真空吸引によって行なうものとし，擬竹Ａの肉を確実に吸引把持してその引込みと上記可動中子１２移動の狭小化による圧縮又は圧潰を確実且つ安定して行って，断面Ｍ字状の竹節３を形成する近接一対の突出リブ４を可及的に外観よく天然竹の竹節に近似した形態とし得るようにしてある。
【００２５】
このとき本例の上下金型１０における可動中子１２の対向方向に向けた移動を行なうエア圧を，例えばその注入用のバルブを拡縮自在とすることによって可変とし，該バブルを拡縮を調整することによって可動中子１２の移動幅をコントロールし，例えば可動中子１２の移動の狭小化に際して区画壁１３との間に竹節形成溝１１の空隙を残存するようにし，或いは可動中子１２の幅を幾分小さめに構成して，その最大移動時に同じく区画壁１３との間に竹節形成溝１１の空隙を残存するようにすれば，突出リブ４の真空吸引によるリブ幅乃至リブ高さを可変とすることも可能になり，また例えば異種複数乃至同一形態に押出形成した擬竹Ａに対して同一の金型１０を使用して異なる竹節３の形成を行なうことが可能となる。
【００２６】
竹節形成工程を押出工程と一連の工程とするとき，押出成型した擬竹Ａは長尺のものとされるから，該竹節形成工程後に，例えば水中を通過する水冷の冷却工程を経て形状が安定した状態で常法による切断工程を施して所定長さに切断することによって出荷可能の商品とすればよい。
【００２７】
本例の擬竹Ａは，上記近接一対の突出リブ４による断面Ｍ字状の竹節３を備えて，天然竹の竹節と同様にして違和感のないものとすることができ，また上記製造方法によるとき，一連の工程によって該竹節３を可及的簡易且つ確実に形成でき製造効率を可及的良好に確保し得るものとなる。
【００２８】
図中１４は，押出成形直後の擬竹Ａが節形成部分以外で金型１０に接触するのを防止するように金型１０を擬竹Ａの進行方向に添って径大に彫り込みした擬竹進行孔である。
【００２９】
図示した例は以上のとおりとしたが，上記近接一対の突出リブによる断面Ｍ字状の竹節を有する擬竹の製造方法を，その竹節形成工程をバッチ式に行なうように，これを，押出成形した擬竹を加熱する加熱工程と，該加熱した擬竹を竹節形成用の上下金型に挟持し，該上下金型の一方又は双方に配置した近接一対の節形成溝を減圧吸引下で狭小化することによって擬竹の表面に近接一対の突出リブによる断面Ｍ字状の竹節を突出形成する竹節形成工程とを押出工程と別のバッチ処理として備えてなるものとすること，その製造方法の如何を問わず，擬竹を上記丸竹に代えて，半割竹とすること，このとき近接一対の節形成溝の配置を，上下金型の双方に代えて，その一方とすること等を含めて本発明の実施に当って擬竹，竹節，その突出リブ，上下金型，その節形成溝，必要に応じて用いる可動中子等の各具体的形状，材質，構造，押出成形や竹節形成の工程の具体的方法，これらの関係，これらに対する付加等は，上記発明の要旨に反しない限り様々な形態のものとすることができる。
【図面の簡単な説明】
【００３０】
【図１】擬竹の斜視図である。
【図２】擬竹における竹節部分の断面図である。
【図３】擬竹を挟持した竹節形成前の金型の部分拡大縦断面図である。
【図４】擬竹の竹節形成状態を示す前の金型の部分拡大縦断面図である。
【図５】竹節形成後の状態を示す金型の部分拡大縦断面図である。
【図６】要部を示す金型の斜視図である。
【符号の説明】
【００３１】
Ａ  擬竹
１  パイプ基部層
２  着色表層
３  竹節
４  突出リブ
１０  上下金型
１１  節形成溝
１２  可動中子
１３  区画壁
１４  擬竹進行孔
【図１】
2005186489.tif 000003
【図２】
2005186489.tif 000004
【図３】
2005186489.tif 000005
【図４】
2005186489.tif 000006
【図５】
2005186489.tif 000007
【図６】
2005186489.tif 000008